(57)【特許請求の範囲】
【請求項１】
ウェブページをネットワークを介して外部サーバから取得するページ取得部と、
前記ウェブページを表示させる表示部と、
前記ウェブページに対するユーザからの送信用データの入力を受け付ける入力受付部と、
前記ユーザからウェブページの表示切替指示を受け付ける切替受付部と、
前記表示切替指示により表示対象外となったウェブページとそのウェブページに対して入力された送信用データを対応づけて保持するキャッシュ部と、
前記キャッシュ部に保持された前記送信用データを外部サーバへ送信する旨の指示である一括送信指示を受け付ける送信受付部と、
前記一括送信指示が検出されたとき、前記キャッシュ部に保持された送信用データを前記キャッシュ部に保持された順番で外部サーバへ送信し、最後に表示中のウェブページに入力されている送信用データを外部サーバへ送信する送信部と、
を備えたウェブページ閲覧装置。
【請求項２】
ウェブページをネットワークを介して外部サーバから取得するページ取得部と、
前記ウェブページを表示させる表示部と、
前記ウェブページに対するユーザからの送信用データの入力を受け付ける入力受付部と、
前記ユーザからウェブページの表示切替指示を受け付ける切替受付部と、
前記表示切替指示により表示対象外となったウェブページとそのウェブページに対して入力された送信用データを対応づけて保持するキャッシュ部と、
前記キャッシュ部に保持された前記送信用データを外部サーバへ送信する旨の指示である一括送信指示を受け付ける送信受付部と、
前記キャッシュ部に保持されたウェブページ中から送信データの入力領域を検出する検出部と、
前記検出部によって、送信対象となる入力領域が複数検出されたことを条件として、いずれの入力領域に対する送信指示を行うかについて前記ユーザからの指示を受け付けるための選択画面を表示させる指示受付表示部と、
前記選択画面に対する送信対象となる入力領域の選択を受け付ける選択受付部と、
前記一括送信指示が検出されたとき、前記キャッシュ部に保持された前記送信用データをネットワークを介して外部サーバへ送信する送信部と、を備え、
前記送信部は、前記選択にしたがって、送信対象となる入力領域に対応した入力情報を送信することを特徴とするウェブページ閲覧装置。
【請求項３】
前記ユーザから表示を希望する複数のウェブページの指定とその複数のウェブページの一括受信指示を受け付けるページ指定受付部をさらに備え、
前記ページ取得部は、前記指定された複数のウェブページを一括して取得し、
前記キャッシュ部は、前記一括して取得したウェブページを保持することを特徴とする請求項１または２に記載のウェブページ閲覧装置。
【請求項４】
前記送信受付部は、ユーザからの一回のクリック操作によって前記一括送信指示を受け付けることを特徴とする請求項１から３のいずれかに記載のウェブページ閲覧装置。
【請求項５】
ウェブページをネットワークを介して外部サーバから取得する機能と、
前記ウェブページを表示させる機能と、
前記ウェブページに対するユーザからの送信用データの入力を受け付ける機能と、
前記ユーザからウェブページの表示切替指示を受け付ける機能と、
前記表示切替指示により表示対象外となったウェブページとそのウェブページに対して入力された送信用データを対応づけて保持する機能と、
保持された前記送信用データを外部サーバへ送信する旨の指示である一括送信指示を受け付ける機能と、
前記一括送信指示が検出されたとき、保持された前記送信用データを順番で外部サーバへ送信し、最後に表示中のウェブページに入力されている送信用データを外部サーバへ送信する機能と、
をコンピュータに実行させることを特徴とするコンピュータプログラム。
【発明の詳細な説明】
【技術分野】
【０００１】
この発明は、ウェブページの閲覧技術に関する。
【背景技術】
【０００２】
ユーザは、インターネットを介して世界中のウェブページにアクセスしさまざまな情報を得ることができるようになった。ウェブページの閲覧は、ウェブブラウザと呼ばれるソフトを用いて行われることが一般的である。
ウェブブラウザの中には、ユーザが複数のページを閲覧する際に、各ページをタブ形式によって表示し、ユーザが閲覧するページごとにウィンドウを開かなくてよいように工夫されたものが考えられている。
【０００３】
特許文献１には、タブ付きのｈｔｍｌ表示システムについて開示されている。
【特許文献１】特開２００２−４１２９６号公報
【発明の開示】
【発明が解決しようとする課題】
【０００４】
ユーザがウェブページ上のフォームと呼ばれる入力領域に情報を入力し、サーバへ入力情報を送信をしようとする場合には、送信するたびに該当するウェブページを開いて送信ボタンを押下するなどの送信指示操作をしなければならない。ユーザが多くのウェブページにアクセスし、入力情報を送信するときには、ウェブページを都度開いて送信指示操作をしなければならず、その操作がユーザの負担となる。この負担は、タブ形式のウェブブラウザによっても改善されていない。
【０００５】
本発明は、上記課題認識に基づいて完成された発明であり、その主たる目的は、ユーザの操作負担を軽減するウェブページ閲覧装置を提供することにある。
【課題を解決するための手段】
【０００６】
本発明のある態様は、ページ閲覧装置である。このページ閲覧装置は、ウェブページをネットワークを介して外部サーバから取得するページ取得部と、ウェブページを表示させる表示部と、ウェブページに対するユーザからの送信用データの入力を受け付ける入力受付部と、ユーザからウェブページの表示切替指示を受け付ける切替受付部と、表示切替指示により表示対象外となったウェブページとそのウェブページに対して入力された送信用データを対応づけて保持するキャッシュ部と、キャッシュ部に保持された送信用データを外部サーバへ送信する旨の指示である一括送信指示を受け付ける送信受付部と、一括送信指示が検出されたとき、キャッシュ部に保持された送信用データをネットワークを介して外部サーバへ送信する送信部とを備えることを特徴とする。
【０００７】
なお、以上の構成要素の任意の組み合わせ、本発明を方法、装置、システム、記録媒体、コンピュータプログラムにより表現したものもまた、本発明の態様として有効である。
【発明の効果】
【０００８】
本発明によれば、ウェブページからの入力情報の送信操作を簡易にできる。
【発明を実施するための最良の形態】
【０００９】
図１は、ウェブページ閲覧装置１００によってウェブページを閲覧する際の概略を示すネットワーク構成図である。
ネットワーク１２は、コンピュータの通信網である。ウェブサーバ１０ａおよび１０ｂ（以下単に「ウェブサーバ１０」という）は、ウェブページを提供するサーバである。ウェブページ閲覧装置１００およびウェブサーバ１０は、ネットワーク１２に接続されている。
【００１０】
ウェブページ閲覧装置１００は、ユーザから指定されたウェブページを、それぞれの指定に対応したウェブサーバ１０より取得する。ウェブページ閲覧装置１００は、取得したウェブページを保持し、表示させる。複数のウェブページが取得されているときは、そのうちの１つのページが表示される。ユーザは、ウェブページの表示を切り替えながら入力領域に送信データを入力する。ウェブページ閲覧装置１００は、ウェブページの表示切り替えの際に、切り替え対象となったウェブページの入力領域に入力された送信データをそのウェブページと対応づけて保持する。ユーザは、各ウェブページへの入力が完了すると、ウェブページ閲覧装置１００に対して送信データの一括送信の指示を行う。ウェブページ閲覧装置１００は、保持された送信データを、各ウェブページの送信指示に応じてウェブサーバ１０へ送信する。
【００１１】
図２は、本発明の実施の形態に係るウェブ閲覧装置によってウェブページを表示したときの画面（以下「ブラウザ画面２００」という）の画面図である。
ブラウザ画面２００は、図２（ａ）に示すようにコンソール領域２０とウェブページ表示領域２２とによって構成される。
コンソール領域２０は、ユーザが入力情報の一括送信を指示する一括送信ボタン２４と、読み込みを行っているウェブページについてウェブページ表示領域２２への表示の切り替えを行うためのタブ２６によって構成される。タブ２６には、そのタブに該当するウェブページのタイトルなどウェブページを特定できる情報を端的に表示する。
ウェブページ表示領域２２には、ウェブサーバ１０から取得したウェブページが表示される。ウェブページ表示領域２２に表示されるウェブページは、通常ｈｔｍｌで記載されているが、ｘｍｌなど他の言語で記載されていてもよいし、アプリケーションサーバなどによって動的に生成されるページや提供されるアプリケーションのインターフェースであってもよい。
【００１２】
ウェブページは、さらに入力領域２８と送信ボタン３０によって構成される。入力領域２８は、１つあるいは複数の入力欄からなり、送信ボタン３０の押下によって送信指示がなされる単位の入力欄の集合である。図２（ａ）の場合、「住所」、「氏名」、「ご感想」の３つの記入欄によって１つの入力領域となり、送信ボタン３０によってその入力領域の入力データが送信データとして送信される。
【００１３】
図２（ｂ）は、図２（ａ）のブラウザ画面２００において、タブ２６をクリックしてウェブページ表示領域２２の切り替えを行った後の画面図である。本実施例では、表示されているウェブページに該当するタブを白い背景で、表示されていないウェブページに該当するタブを黒い背景で表している。
表示されたウェブページの表示の仕方や、切り替えの方法については、本実施例のようなタブによる方法以外にも、リンクや矢印マークによる表示なども考えられる。
【００１４】
なお、図２には図示しないが、ブラウザ画面２００は通常のウェブブラウザが有するようなブックマークやＵＲＬアドレス表示などの機能を持ち、その機能を起動するためのメニュー項目を表示することができる。
【００１５】
図３は、ウェブページ閲覧装置１００の機能ブロック図である。
ここに示す各ブロックは、ハードウェア的には、コンピュータのＣＰＵをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組み合わせによっていろいろなかたちで実現できることは、当業者には理解されるところである。
【００１６】
ウェブページ閲覧装置１００は、インターフェース部１２０、検出部１３８、データ保持部１３２、ウェブサーバ対応部１４０を含む。インターフェース部１２０は、ユーザへウェブページの表示をしたり、ユーザからの入力を受け付けるなどのユーザインターフェースに関する処理を担当する。データ保持部１３２は、読み込んだウェブページの保持や、ウェブページの入力領域に対するユーザの入力情報、その他設定データなどを保持する。検出部１３８は、入力情報を送信する際に、データ保持部１３２に保持された各ウェブページの入力領域を検出する処理を担当する。ウェブサーバ対応部１４０は、ネットワークを介してウェブサーバ１０との情報の送受信処理を担当する。
【００１７】
インターフェース部１２０は、表示部１２２、入力受付部１２４、送信受付部１２６、切替受付部１２８、選択受付部１３０、指示受付表示部１４６、ページ指定受付部１４８を含む。表示部１２２は、ブラウザ画面２００を図示しない外部に接続された表示装置に表示させる。入力受付部１２４は、表示されたウェブページに対するユーザからの入力情報を受け付ける。送信受付部１２６は、ユーザからの一括送信指示を受け付ける。切替受付部１２８は、ブラウザ画面２００上でタブ２６のクリックなどによるウェブページの表示切替指示をユーザから受け付ける。指示受付表示部１４６は、検出部１３８によって送信対象となるウェブページの入力領域が複数検出されたときに、送信指示を行う入力領域をユーザに選択させるための選択画面を表示装置に表示させる。選択受付部１３０は、指示受付表示部１４６でユーザが選択した結果を受け付ける。ページ指定受付部１４８は、ユーザが一括してウェブページの受信を行いたいときに、受信するウェブページの指定を受け付ける。
【００１８】
データ保持部１３２は、キャッシュ部１３６を含む。キャッシュ部１３６は、読み込みを行ったウェブページとユーザによるウェブページの入力領域への入力データが保持される。
【００１９】
ウェブサーバ対応部１４０は、ページ取得部１４２、送信部１４４を含む。ページ取得部は、ユーザによって指定されたウェブページをネットワークを介してウェブサーバ１０より取得する。送信部１４４は、ユーザからの一括送信指示によってキャッシュ部１３６に保持された入力データおよび表示部１２２によって表示されているウェブページに入力されている入力データをウェブサーバ１０へ送信する。
【００２０】
次に、ウェブページ閲覧装置１００による処理の流れについて、適宜画面図とフローチャートを用いながら説明する。
まず、ユーザは表示部１２２にアクセスし、ブラウザ画面２００を開く。初期状態では、ウェブページの読み込みは行われておらず、ウェブページ表示領域２２にはなにも表示されない。ユーザは、ブラウザ画面２００中の図示しないページ指定欄に読み込みを行う複数のウェブページの指定を入力する。ウェブページの指定はＵＲＬの入力によって行われてもよいし、ブックマークの一覧から選択してもよい。
ページ指定受付部１４８は、指定されたウェブページの指定を受け付け、ページ取得部１４２に通知する。ページ取得部１４２は、指定されたＵＲＬにしたがってウェブサーバ１０にアクセスし、指定された複数のウェブページを取得する。取得されたウェブページはキャッシュ部１３６に保持される。
【００２１】
表示部１２２は、取得したウェブページに対応したタブ２６を生成し、取得したウェブページの１つをブラウザ画面２００のウェブページ表示領域２２に表示させる。取得したウェブページのうち表示される１つは、ユーザが最初に指定したものが考えられるが、任意に決定してよい。表示されないウェブページについては、図１（ａ）の「Ｂページ」のタブのように、表示が行われている「Ａページ」のタブとは表示色を反転させて非表示であることを示す。
【００２２】
ユーザは、ウェブページ表示領域２２に表示されたウェブページの入力領域に対して送信データの入力を行う。ユーザは、表示されたウェブページへの入力完了後、ページの切り替えを行うときには、表示したいウェブページに対応したタブをクリックする。切替受付部１２８は、ユーザからの切替指示を受け付ける。キャッシュ部１３６は、切り替え前のウェブページの入力領域への入力データをウェブページに対応づけて保持する。表示部１２２は、キャッシュ部１３６より切替指示のあったウェブページを読み込み、ウェブページ表示領域２２へ表示させる。
【００２３】
上記の表示切替処理とキャッシュへの入力データ保持の処理をユーザの切替指示がある限り繰り返す。
ユーザは入力が完了すると、送信データの一括送信指示をするために一括送信ボタン２４を押下する。送信受付部１２６は、一括送信指示を受け付ける。
【００２４】
一括送信指示の受け付け後の処理について、図４のフローチャートを用いて説明する。
処理は主に表示されたウェブページの入力データ送信処理であるステップＳ１０〜１８と、キャッシュに保持された入力情報の送信処理であるステップＳ２０〜３０に分けられる。
【００２５】
検出部１３８は、ブラウザ画面２００のウェブページ表示領域２２に表示されているウェブページの入力領域の検出を行う（Ｓ１０）。
検出部１３８による入力領域の検出は、ウェブページが記載されたｈｔｍｌファイルを解析することによって行われる。ｈｔｍｌファイルはタグによって記述されているため、タグを解析して入力領域を検出する。例えば、１つの入力領域は１組の「form」タグで囲まれた範囲中の「input」タグで表された入力欄の組として検出し、送信指示は「form」タグ中のaction属性を取得することによって得られる。
ウェブページがｈｔｍｌ以外の言語によって記載されていたり、プログラムによって提供されているときには、その言語の仕様やプログラムの仕様によって判断される。
【００２６】
入力領域が複数検出されたとき（Ｓ１２のＹ）には、図６に示すように、指示受付表示部１４６によってブラウザ画面２００に重なるかたちで選択画面４４を表示させる（Ｓ１４）。ウェブページの入力領域が複数検出されるときとは、図５の画面図に示すようにボタン４２などの送信指示を行う箇所とそれに対応する入力領域が複数存在するときである。
選択画面４４は、図示した例ではリンクのクリックによって選択されるが、メニュー形式にして選択させてもよいし、ボタンやチェックボックスによって表示させてもよい。図５の例では、入力指示を行う送信ボタンに表示されたテキストを表示して選択を行わせているが、実際にユーザが入力領域に入力した入力データを表示して選択させてもよい。また、選択は複数の入力領域について行われてもよい。さらに、どの選択肢も選択せずに、図示しないキャンセルボタンを押下していずれの入力データも送信しないこともできる。
【００２７】
選択受付部１３０は、ステップＳ１４におけるユーザの選択を受け付ける（Ｓ１６）。
ステップＳ１６の後、あるいは、Ｓ１２のＮのときには、送信部１４４は、送信対象となる入力データの存在をチェックし、入力データを送信する（Ｓ１８）。入力データの存在のチェックにおいて、ウェブページに入力領域がない場合や、送信対象となる入力領域になにも入力されていない場合、Ｓ１４でいずれの入力領域も選択されなかった場合などには入力データは存在しないものとして判断される。ウェブページからの入力データと送信指示の取得は、ステップＳ１０の説明で述べたように送信対象のウェブページのｈｔｍｌファイルの解析によって行われる。取得した送信指示によって、画面上でユーザが送信ボタンを押下したときと同じ動作を、仮想的にプログラムにより行わせる。具体的には、例えば、javascriptによってリクエストをウェブサーバ１０に送信することによって実現される。送信先は、通常はウェブページを取得したウェブサーバであるが、別の外部のサーバが指定されているときにはそれに従う。例えばｈｔｍｌファイルにおいて、「form」タグ中のaction属性に送信先が指定されているときなどはその送信先に送信する。
【００２８】
送信部１４４は、最初の送信対象となるウェブページへの入力データとウェブページの情報をキャッシュ部１３６より取得する（Ｓ２０）。最初の送信対象となるウェブページは任意でよいが、指定が先にされたものや、図２の例ではタブが一番左に表示されているものなどの決定方法が考えられる。ただし、表示されているウェブページについては、ステップＳ１８によって入力データが送信されているのでキャッシュの取得を行わない。
送信部１４４は、キャッシュ部１３６から取得した送信データを送信する（Ｓ２２〜Ｓ２８）。ここで行われる処理は、表示中のウェブページを送信するステップＳ１２〜Ｓ１８の処理と同様の処理が行われる。
【００２９】
送信部１４４は、次の送信対象となるウェブページと入力データの組み合わせがあるかを確認する（Ｓ３０）。次の送信対象となるウェブページは、Ｓ２０で最初のページを取得したときの順位付けによって行われる。次の送信対象がある場合（Ｓ３０のＹ）には、送信部１４４は送信データおよびウェブページのデータをキャッシュ部１３６より取得し、Ｓ２２へ戻る。次の送信対象がない場合（Ｓ３０のＮ）には、処理を終了する。
【００３０】
本発明に係るウェブページ閲覧装置の実施における基本形態は以上のとおりであるが、以下のような応用形態が想定される。
【００３１】
応用形態１
基本形態において、送信対象となる入力データの入力領域が複数存在するかについての判断を各ウェブページごとに行った。この応用形態では、送信対象となる全入力領域を検出して選択画面に表示させ、ユーザに送信を行う入力領域を選択させる。
これにより、ユーザは入力を行ったが送信は行わない入力データなどがある場合、その入力を行ったウェブページに戻って入力を消したりするなどの操作を行う必要がなくなり、ユーザの操作負担が軽減される。以下にその実施例について説明する。
【００３２】
一括送信指示の入力を受け付けるまでの処理は、基本形態の実施例と同じである。一括送信指示の受け付け後の処理の流れについて説明する。
【００３３】
この応用形態において、ウェブページ閲覧装置１００は、データ保持部１３２に、図示しない入力領域保持部を備える。
検出部１３８は、ブラウザ画面２００のウェブページ表示領域２２に表示されているウェブページの入力領域の検出を行う。入力領域保持部は、検出部１３８によって検出された入力領域とその入力領域への入力データを保持する。１つのウェブページに複数の入力領域がある場合は、その全てについて保持する。ただし、入力領域への入力がない場合はその入力領域についての情報の保持は行わない。ウェブページからの入力領域の検出方法等については基本形態で説明したとおりである。
【００３４】
次に、検出部１３８は、キャッシュ部１３６に保持されたウェブページを読み込む。検出部１３８は、各ウェブページについて入力領域を検出し、入力領域保持部に入力データと対応づけて保持させる。この処理を読み込んだ各ウェブページについて行う。
指示受付表示部１４６は、入力領域保持部に保持されたデータから送信する入力データを選択するための画面である一覧選択画面６０を表示させる。
図７は、一覧選択画面６０の画面図である。
一覧選択画面６０は、各ウェブページを識別するためのタイトル等の情報と、検出された各入力領域に対する入力データの一覧を表示する。ユーザはチェックボックス６２によって送信対象となる入力データを選択し、ボタン６４を押下して決定する。
送信部１４４は、ユーザによって一覧選択画面６０上で選択された送信データを送信する。送信にあたっては、入力領域に対応する送信指示が記載された箇所、例えば送信ボタンやformタグの記載をウェブページを解析して取得し、その送信指示にしたがって送信する。選択された送信対象の入力領域の全データについての送信が終わると、一括送信処理を終了する。
【００３５】
応用形態２
表示を行うウェブページがアプリケーションサーバなどによって提供されたウェブページであって、それらのウェブページに対する入力情報が互いに依存関係にある場合には、送信部による入力データの送信順番を考慮する必要がある。
本応用形態において、送信部１４４は、一括送信処理時に送信対象となるウェブページの優先順位を考慮して入力データを送信する。
【００３６】
例えば、図２の画面図における「Ａページ」、「Ｂページ」、「Ｃページ」が依存関係にあり、「Ａページ」、「Ｂページ」、「Ｃページ」の順番に送信しなければならない場合を考える。
このとき各ウェブページには、スクリプト言語によるチェックプログラム等がウェブページ中に組み込まれており、所定の順番による画面入力が要求されることが一般的である。そのため、送信部１４４は、キャッシュ部に入力データが保持された順番で入力データを送信し、最後にウェブページ表示領域２２に表示されたウェブページの入力データを送信する。
【００３７】
さらに、送信時に所定の順番によって送信されていないとき、ウェブサーバ１０から通知されるエラーを、ウェブサーバ対応部１４０に設けられた図示しないエラー検出部によって検出する。エラー検出部は送信部１４４にエラーを通知する。送信部１４４は、エラーが通知されたウェブページについての入力データの送信を全てのウェブページに対する入力データの送信後に行うよう順番を変更して送信する。
【００３８】
この応用形態により、入力データの送信順番の整合性を保つことができ、ウェブサーバにおけるデータ受信後の処理のトランザクションの整合性を保つことができる。
【００３９】
以上、実施の形態をもとに本発明を説明した。なお、この発明はこの実施の形態に限定されることなく、そのさまざまな変形例もまた、本発明の態様として有効である。
また、上記実施の形態を実現するための機能をコンピュータ端末や携帯電話に実現させるコンピュータプログラムも本発明の態様として有効である。
【００４０】
本発明に係るウェブページ閲覧装置によれば、ユーザは入力データの送信の際に、一括送信指示をすることによって、読み込みを行った各ページへの入力データを送信することができる。ユーザは、入力領域への入力後、各ページを表示させて送信ボタンをクリックすることを繰り返さずによくなるため、ユーザの操作負担が軽減する。さらに、一括送信指示を一回のクリック操作によって行わせることによってユーザの操作を簡易化することができる。
また、閲覧したいウェブページを一括指定して読み込み、内部に保持するため、ウェブページの表示を切り替えるたびにサーバにアクセスする必要がなく、迅速に表示の切り替えができる。さらに、入力情報がウェブページに対応づけられて保持されるため、複数のウェブページに入力する際に、表示を切り替えて相互に参照しながら入力することができる。
【００４１】
本発明に係るウェブページ閲覧装置は、ウェブページの受信と入力データの一括送信を行うときのみ、ネットワークに接続されていればよいため、ネットワーク回線の状況の影響を受けにくくなる。例えば、ネットワークが常時使用できない環境にあるときには、あらかじめウェブページの読み込みをしておき、閲覧や入力はネットワークと接続されていない状態で行い、再び接続したときに一括送信することができる。また、接続時間を短縮することができるため、通信費用を削減することができる。
【図面の簡単な説明】
【００４２】
【図１】ウェブページ閲覧装置によってウェブページを閲覧する際の概略を示すネットワーク構成図である。
【図２】ブラウザ画面の画面図である。
【図３】ウェブページ閲覧装置の機能ブロック図である。
【図４】一括送信指示受け付け後の処理の流れを示すフローチャート図である。
【図５】入力領域が複数あるウェブページを例示するための画面図である。
【図６】選択画面の画面図である。
【図７】一覧選択画面の画面図である。
【符号の説明】
【００４３】
１０  ウェブサーバ、  １２  ネットワーク、  ２４  一括送信ボタン、  ２６  タブ、  ２８  入力領域、  ３０  送信ボタン、  ４４  選択画面、  ６０  一覧選択画面、  １００  ウェブページ閲覧装置、  ２００  ブラウザ画面。  
【図１】
0005001747.tif 000002
【図２】
0005001747.tif 000003
【図３】
0005001747.tif 000004
【図４】
0005001747.tif 000005
【図５】
0005001747.tif 000006
【図６】
0005001747.tif 000007
【図７】
0005001747.tif 000008